(57)【特許請求の範囲】
【請求項１】
壁装材を壁に貼設する壁装材の固定部材において、
長尺で、一方の側端部に突条部が形成された固定部材本体と、この固定部材本体の裏面に接続部を介して一体に設けられた長尺の縁取り材とを有し、
前記縁取り材が、その縁部に、前記固定部材本体の突条部との間で壁装材を挟持できるように、縁取り材の表面側に屈曲された屈曲部を有することを特徴とする壁装材の固定部材。
【請求項２】
前記接続部が、軟質樹脂からなることを特徴とする請求項１記載の壁装材の固定部材。
【請求項３】
前記固定部材本体と前記縁取り材とが、接続部で分離可能とされていることを特徴とする請求項１または請求項２記載の壁装材の固定部材。
【請求項４】
前記固定部材本体の突条部の裏面と前記縁取り材の表面との間には、壁装材の端部を収納する収納空間が形成されていることを特徴とする請求項１ないし３いずれか一項に記載の壁装材の固定部材。
【請求項５】
前記固定部材本体が、前記収納空間に収納された壁装材の端部を保持する突条の保持部を、前記固定部材本体の突条部の裏面側に有することを特徴とする請求項４記載の壁装材の固定部材。
【請求項６】
請求項１ないし５いずれか一項に記載の壁装材の固定部材を用いた壁装材の貼設方法であって、
固定部材を壁面に、縁取り材の屈曲部が外側となるように枠状に組み付け、
壁装材の端部を固定部材本体の突条部と縁取り材の屈曲部との間に差し込み、
壁装材を突条部と屈曲部との間で挟持することを特徴とする壁装材の貼設方法。
【発明の詳細な説明】
【０００１】
【発明の属する技術分野】
本発明は、建物の内壁等に、織物等の壁装材を貼設する際に用いられる壁装材の固定部材、およびこの固定部材を用いた壁装材の貼設方法に関する。
【０００２】
【従来の技術】
従来より、ホールや会館の装飾、店の内装などとして、織物等からなるシート状の壁装材を、壁に貼設することが行われている。また、壁装材を壁に貼設する際には、壁装材の周縁を把持、固定するための長尺の固定部材が用いられている。
【０００３】
図６は、壁装材の固定部材７０を用いて壁装材４６およびその下地材４５を壁４４に固定した状態を示す縦断面図である。
固定部材７０は、その裏面において壁面４０に当接し、タッカー４３によって壁４４に固定される固定部７１と、該固定部７１の表面において下地材４５の端部を把持する把持部７２と、固定部材７０の側端面に形成された断面舌状の突条部７３と、突条部７３の裏面側に形成された断面舌状の突条からなる保持部７４とを有して概略構成されるものである。
【０００４】
この固定部材７０を用いた壁装材４６の貼設は、以下のように行われる。
まず、図７に示すように、固定部材７０を壁面４０に、固定部材７０の突条部７３が外側となるように枠状に組み付ける。
ついで、図６に示すように、下地材４５を、壁面４０を覆うように、枠状の固定部材７０の内側に組み付ける。その後、この下地材４５を覆うように、壁装材４６を被せ、壁装材４６の端部を固定部材７０の突条部７３と天井面４１および床面４２との間に差し込む。このようにして、壁装材４６を突条部７３と天井面４１および床面４２との間で挟持する。また、壁装材４６の端部の巻き込みは、保持部７４によって保持される。
【０００５】
また、図７に示される、固定部材７０と固定部材７０’とが対向して組み付けられる対向部分７５においては、図９に示すように、２枚の壁装材４６，４６の端部を一方の固定部材７０の突条部７３と他方の固定部材７０’の突条部７３’との間に差し込み、壁装材４６，４６を一方の突条部７３と他方の突条部７３’との間で挟持する。
【０００６】
【発明が解決しようとする課題】
しかしながら、図６に示すように、固定部材７０が、天井面４１、床面４２をはじめ、この他に窓枠、ドア枠、壁のコーナー部分などに接している部分では、固定部材７０を、図８に示すように、対向させて使用することができなかった。そのため、天井面４１、床面４２等に壁装材４６を擦りつけながら、固定部材７０の突条部７３と天井面４１、床面４２等との間に壁装材４６を差し込まねばならず、天井面４１、床面４２等に傷を付けてしまうことがあった。
【０００７】
よって、本発明の目的は、天井面、床面、窓枠、ドア枠、壁のコーナー部分など壁の周囲に傷を付けることなく、壁装材を固定することができる壁装材の固定部材、およびこの固定部材を用いた壁への壁装材の貼設方法を提供することにある。
【０００８】
【課題を解決するための手段】
本発明の壁装材の固定部材は、壁装材を壁に貼設する壁装材の固定部材において、長尺で、一方の側端部に突条部が形成された固定部材本体と、この固定部材本体の裏面に接続部を介して一体に設けられた長尺の縁取り材とを有し、前記縁取り材が、その縁部に、前記固定部材本体の突条部との間で壁装材を挟持できるように、縁取り材の表面側に屈曲された屈曲部を有することを特徴とする。
【０００９】
また、前記接続部は、軟質樹脂からなるものであることが望ましい。
また、前記固定部材本体と前記縁取り材とが、接続部で分離可能とされていることが望ましい。
また、前記固定部材本体の突条部の裏面と前記縁取り材の表面との間に壁装材の端部を収納する収納空間が形成されていることが望ましい。
【００１０】
また、本発明の壁装材の貼設方法は、本発明の壁装材の固定部材を用いた壁装材の貼設方法であって、固定部材を壁面に、縁取り材の屈曲部が外側となるように枠状に組み付け、壁装材の端部を固定部材本体の突条部と縁取り材の屈曲部との間に差し込み、壁装材を突条部と屈曲部との間で挟持することを特徴とする。
【００１１】
【発明の実施の形態】
以下、本発明を詳しく説明する。
図１は、本発明の壁装材の固定部材の一例を示す断面斜視図である。この固定部材１は、長尺の固定部材本体１０と、その裏面に設けられた長尺の縁取り材２０とを有して概略構成されるものである。固定部材本体１０と縁取り材２０とは、それらの基端部１１，２１において、接続部３０を介して一体に接続されている。
【００１２】
固定部材本体１０は、その裏面において縁取り材２０に当接する固定部１２と、固定部材本体１０の表面側に固定部１２から屈曲された段部１３と、該段部１３から屈曲され、かつ固定部１２と平行にされた支持部１４と、該支持部１４の先端、すなわち固定部材本体１０の側端面１５に形成された断面Ｙ字形の突条部１６と、突条部１６の裏面側に形成された断面舌状の突条からなる保持部１７とを有して概略構成されるものである。
【００１３】
また、縁取り材２０は、その表面が固定部材本体１０の固定部１２の裏面に当接し、またその裏面が壁面に当接する面となる縁取り材本体２２と、縁取り材２０の表面側に縁取り材本体２２から屈曲された屈曲部２３とから構成される、断面Ｌ字形の部材である。
そして、保持部１７の裏面と縁取り材本体２０の表面との間には、壁装材の端部を収納するための収納空間３１が形成されている。
【００１４】
固定部材本体１０の固定部１２は平板状であり、その表面には、固定部材１を壁に固定するコの字形のタッカーを打ち込む際の見当となる、長手方向に延びる２本の溝部１８，１８が形成されている。
段部１３は、固定部１２と支持部１４との間に段差を形成させるものであり、この段部１３を設けることにより、保持部１７の裏面と縁取り材本体２０の表面との間に収納空間３１が形成されることとなる。
【００１５】
支持部１４は、突条部１６を、縁取り材２０の屈曲部２３との間で壁装材を挟持できるように、支持するものである。
突条部１６は、縁取り材２０の屈曲部２３との間で壁装材を挟持するための部材である。また、その端面形状をＹ字形とすることで、滑り止めの効果が発揮され、壁装材を確実に挟持することができる。突条部１６は、壁装材の端部を突条部１６と屈曲部２３との間に差し込みやすくするために、軟質樹脂から形成されていることが好ましい。
【００１６】
軟質樹脂としては、例えば、熱可塑性エラストマー、合成ゴム、天然ゴムなどの高分子材料が挙げられる。ここで、熱可塑性エラストマーとは、常温でゴム弾性を示すが、高温では可塑化され、成形可能となる高分子材料であり、このような熱可塑性エラストマーとしては、例えば、ポリスチレン系熱可塑性エラストマー（ＳＤＣ）、ポリオレフィン系熱可塑性エラストマー（ＴＰＯ）、ポリ塩化ビニル系熱可塑性エラストマー（ＴＰＶＣ）、ポリウレタン系熱可塑性エラストマー（ＴＰＵ）、ポリエステル系熱可塑性エラストマー（ＴＰＥＥ）、ポリアミド系熱可塑性エラストマー（ＴＰＥＡ）、１，２−ポリブタジエン系熱可塑性エラストマー（ＴＰＶＢ）、トランスポリイソプレン系熱可塑性エラストマー（ＴＰＩ）、フッ素ゴム系熱可塑性エラストマー、塩素化ポリエチレン系熱可塑性エラストマー（Ｔ−ＣＭ）、動的架橋系熱可塑性エラストマー（ＤＶＴＰＥ）などが挙げられる。
【００１７】
保持部１７は、収納空間３１に収納された壁装材の端部を、収納空間３１内に保持するための部材であり、突条部１６と一体とされている。保持部１７もまた、壁装材の端部を収納空間３１に挿入しやすくするために、上述の軟質樹脂から形成されていることが好ましい。
【００１８】
縁取り材本体２２は、固定部材本体１０の固定部１２とともに、タッカーで壁に固定される部分である。
屈曲部２３は、固定部材本体１０の突条部１６との間で壁装材を挟持するための部分であると同時に、固定部材１を壁に組み付けた際には、壁の周囲の天井面、床面、窓枠、ドア枠、壁のコーナー部分などに対する「当たり」となる部分である。
【００１９】
固定部材本体１０および縁取り材２０の材質は、特に限定されず、ＡＢＳ樹脂、ポリスチレンなどのスチレン系樹脂、低密度ポリエチレン、高密度ポリエチレン、ポリプロピレンなどのオレフィン系樹脂、ポリ塩化ビニル、ポリカーボネート、ポリエステル等の熱可塑性高分子材料が好適に用いられる。
【００２０】
固定部材本体１０と縁取り材２０とは、固定部材本体１０、縁取り材２０のいずれかが不要な際に、これを取り外すことができるように、分離可能とされていることが好ましい。そのためには、固定部材本体１０と縁取り材２０とを接続する接続部３０は、軟質樹脂で形成されていることが好ましい。軟質樹脂としては、上述の熱可塑性エラストマー、合成ゴム、天然ゴムなどの高分子材料を用いることができる。
【００２１】
次に、固定部材１を用いた壁装材の貼設方法について説明する。
まず、図２に示すように、固定部材１を壁面４０に、縁取り材２０の屈曲部２３が外側となるように、かつ天井面４１および床面４２に当接するように枠状に組み付け、図３に示すように、タッカー４３で固定部材１を壁４４に固定する。
【００２２】
ついで、下地材４５を、壁面４０を覆うように、枠状の固定部材１の内側に組み付ける。
この下地材の４５をさらに覆うように、壁装材４６を被せ、壁装材４６の端部を固定部材本体１０の突条部１６と縁取り材２０の屈曲部２３との間に差し込み、これらの間で挟持、固定する。
【００２３】
ここで使用される壁装材４６およびその下地材４５としては、従来より壁の装飾、内装等に使用されている壁装材、下地材であればいずれのものも使用することができ、その素材、形状等は、特に限定はされない。
【００２４】
このような固定部材１およびこれを用いた壁装材４６の貼設方法にあっては、固定部材本体１０の裏面に縁取り材２０が設けられ、かつ縁取り材２０が、その縁部に、固定部材本体１０の突条部１６との間で壁装材４６を挟持できるように、縁取り材２０の表面側に屈曲された屈曲部２３を有しているので、屈曲部２３と突条部１６との間で壁装材４６を挟持できるようになると同時に、屈曲部２３が壁４０の周囲の天井面４１、床面４２、窓枠、ドア枠、壁のコーナー部分などに対する「当たり」となる。このことによって、壁装材４６を屈曲部２３と突条部１６との間に差し込む際に、壁装材４６を天井面４１、床面４２、窓枠、ドア枠、壁のコーナー部分などに擦りつけることがなくなり、天井面４１、床面４２、窓枠、ドア枠、壁のコーナー部分に傷を付けることがなくなる。
【００２５】
また、固定部材本体１０の裏面に、接続部３０を介して縁取り材２０が設けられているので、固定部材１を壁面４０に組み付け作業は、縁取り材２０をまず組み付け、次いで固定部材本体１０を組み付けるといった２度の組み付け作業ではなく、１度の組み付け作業で完了できるので、施工の手間がかからない。
また、固定部材本体１０の裏面に、接続部３０を介して縁取り材２０が設けられているので、固定部材本体１０の突条部１６と、縁取り材２０の屈曲部２３とのクリアランス（隙間、間隔）を一定に保つことができ、固定部材１の組み付け時にその調整を行う必要がないので、簡単に組み付けることができる。
【００２６】
また、接続部３０が軟質樹脂からなるものであれば、固定部材本体１０と縁取り材２０との分離が可能となる。そのため、固定部材本体１０のみ、または縁取り材２０のみで壁装材４６の貼設を行う場合に、新たに専用の部材（固定部材本体のみ、または縁取り材のみ）を準備することなく貼設作業ができるので、効率的である。
【００２７】
また、突条部１６の裏面と縁取り材本体２０の表面との間に、壁装材４６の端部を収納するための収納空間３１が形成されているので、余分な壁装材４６の端部が貼設された壁装材４６の表面にはみ出すことがなく、壁装材４６の貼設をきれいに仕上げることができる。
また、突条部１６の裏面側に保持部１７が設けられているので、この保持部１７によって壁装材４６の端部の巻き込みを押さえ込むことができ、固定部材１内に挿入された壁装材４６の端部の抜けを防止することができる。
【００２８】
なお、本発明の固定部材は、図１に示すように、固定部材本体１０と縁取り材２０とが、それらの基端部１１，２１において、接続部３０を介して一体に接続されている固定部材１に限定されるものではなく、長尺の固定部材本体の裏面に、接続部を介して長尺の縁取り材が設けられているものであれば、どのような形態の固定部材であってもよい。
【００２９】
本発明の固定部材の他の形態としては、例えば、図４に示すように、固定部材本体１０と縁取り材２０とが、固定部材本体１０の固定部１２の中央部５１および縁取り材２０の基端部２１において、接続部３０を介して接続されている固定部材５０；図５に示すように、固定部材本体１０と縁取り材２０とが、固定部材本体１０の固定部１２の先端部６１および縁取り材２０の基端部２１において、接続部３０を介して接続されている固定部材６０；などが挙げられる。
【００３０】
【発明の効果】
以上説明したように、本発明の壁装材の固定部材は、壁装材を壁に貼設する壁装材の固定部材において、長尺で、一方の側端部に突条部が形成された固定部材本体と、この固定部材本体の裏面に接続部を介して一体に設けられた長尺の縁取り材とを有し、前記縁取り材が、その縁部に、前記固定部材本体の突条部との間で壁装材を挟持できるように、縁取り材の表面側に屈曲された屈曲部を有するので、天井面、床面、窓枠、ドア枠、壁のコーナー部分などに傷を付けることなく、壁装材を固定することができる。
【００３１】
また、前記接続部が、軟質樹脂からなるものであれば、前記固定部材本体と前記縁取り材とを分離可能とすることができる。
また、前記固定部材本体と前記縁取り材とが、接続部で分離可能とされていれば、固定部材本体または縁取り材が不要とされる場合に、不要な部材を取り外すことができる。これにより、新たに専用の部材を用意することなく貼設作業ができ、効率的である。
また、前記固定部材本体の突条部の裏面と前記縁取り材の表面との間に、壁装材の端部を収納するための収納空間が形成されていれば、余分な壁装材の端部が貼設された壁装材の表面にはみ出すことがなく、壁装材の貼設をきれいに仕上げることができる。
また、前記固定部材本体が、前記収納空間に収納された壁装材の端部を保持する突条の保持部を、前記固定部材本体の突条部の裏面側に有するので、固定部材内に挿入された壁装材の端部の巻き込みの抜けを防止することができる。
【００３２】
また、本発明の壁装材の貼設方法は、本発明の壁装材の固定部材を用いた壁装材の貼設方法であって、固定部材を壁面に、縁取り材の屈曲部が外側となるように枠状に組み付け、壁装材の端部を固定部材本体の突条部と縁取り材の屈曲部との間に差し込み、壁装材を突条部と屈曲部との間で挟持する方法であるので、天井面、床面、窓枠、ドア枠、壁のコーナー部分などに傷を付けることなく、壁装材を壁に貼設することができる。
【図面の簡単な説明】
【図１】  本発明の壁装材の固定部材の一例を示す断面斜視図である。
【図２】  本発明の壁装材の固定部材を壁面に枠状に組み付けた状態を示す正面図である。
【図３】  本発明の壁装材の固定部材を用いて壁装材を壁に貼設した状態を示す縦断面図である。
【図４】  本発明の壁装材の固定部材の他の例を示す断面斜視図である。
【図５】  本発明の壁装材の固定部材の他の例を示す断面斜視図である。
【図６】  従来の壁装材の固定部材を用いて壁装材を壁に貼設した状態を示す縦断面図である。
【図７】  従来の壁装材の固定部材を壁面に枠状に組み付けた状態を示す正面図である。
【図８】  従来の壁装材の固定部材を用いて壁装材を壁に貼設した状態を示す横断面図である。
【符号の説明】
１  固定部材
１０  固定部材本体
１５  側端面
１６  突条部
１７  保持部
２０  縁取り材
２３  屈曲部
３０  接続部
３１  収納空間
４０  壁面
【図１】
0003652613.tif 000002
【図２】
0003652613.tif 000003
【図３】
0003652613.tif 000004
【図４】
0003652613.tif 000005
【図５】
0003652613.tif 000006
【図６】
0003652613.tif 000007
【図７】
0003652613.tif 000008
【図８】
0003652613.tif 000009